(57)【特許請求の範囲】
【請求項１】
伸縮性糸の群と非伸縮性糸の群とが交叉したネット状ベースと、紐状毛皮又は毛付き紐状人造物とから成り、前記ネット状ベースには前記紐状毛皮又は毛付き紐状人造物を通し得る網目の群が空いており、前記網目に前記紐状毛皮又は毛付き紐状人造物を通すことにより、前記非伸縮性糸に前記紐状毛皮又は毛付き紐状人造物を巻き付けている、
毛皮生地。
【請求項２】
請求項１に記載した毛皮生地を使用している製品。
【発明の詳細な説明】
【０００１】
【発明の属する技術分野】
本願発明は、ネット状ベースに紐状毛皮又は毛付き紐状人造物を取付けて成る毛皮生地及びこれを使用した製品に関するものである。
【０００２】
【従来の技術】
毛皮製品において、ファッション性の向上や軽量化、原皮の有効利用などの観点から、原皮を細い紐状に裁断し、この紐状毛皮を素材として生地を製造することが提案されている。
【０００３】
その例として、実開昭61−155384号公報、特開昭64-45836号公報、特開平1-213432号公報には、紐状毛皮を縦糸（経糸）と横糸（緯糸）として織ることによって生地となすか、又は、紐状毛皮と他の糸とを織って生地となすことが開示されている。また、実用新案登録第3027596 号公報には、紐状毛皮と毛糸とをニット編みして生地と成すことが開示されている。
【０００４】
また、特開平5-171551号公報、特開平6- 81000号公報、実用新案登録第3008585 号公報には、ネット状のベースに紐状毛皮を絡ませて生地と成すことが記載されている。
【０００５】
更に、実開昭57-74953号公報には、多数の帯状毛皮と多数の帯状伸縮性布とを交互に並べて、隣合った帯状毛皮と帯状伸縮性布とを縫い合わせて生地と成すこと、及び、小さな四角形に裁断された角形毛皮と角形伸縮性布とを縦横に交互に整列して並べ、隣合った角形毛皮と角形伸縮性布とを互いに縫い合わせて生地と成すことが記載されている。
【０００６】
【発明が解決しようとする課題】
実開昭57-74953号公報を除いた各従来技術は、生地が殆ど伸縮しないため身体へのフィット性に欠けるという問題があった。他方、実開昭57-74953号公報の場合は生地を伸縮させることはできるが、生地に作用した引っ張り力が縫い目の部分にそのまま作用するため、破れ易くて実用性に乏しいという問題があった。
【０００７】
そこで、本願出願人は、特願2000−130077号において、一連に広がる伸縮性のベースに紐状毛皮又はその類似物を取付けて成る伸縮性の毛皮生地又は毛皮状生地を提案した。本願発明は、この先願と同様であり、強度に優れた伸縮性毛皮生地と製品を提供せんとするものである。
【００３３】
【課題を解決するための手段】
請求項１の発明は生地に係るもので、この生地は、伸縮性糸の群と非伸縮性糸の群とが交叉したネット状ベースと、紐状毛皮又は毛付き紐状人造物とから成り、前記ネット状ベースには前記紐状毛皮又は毛付き紐状人造物を通し得る網目の群が空いており、前記網目に前記紐状毛皮又は毛付き紐状人造物を通すことにより、前記非伸縮性糸に前記紐状毛皮又は毛付き紐状人造物を巻き付けている。
【００３４】
本願発明は、請求項２に記載したように、請求項１に記載した毛皮生地を使用している製品も含んでいる。
【００３８】
【発明の作用・効果】
【００４１】
本願発明では、生地に作用した外力（主として引張り力）が紐状毛皮又は毛付き紐状人造物に直接に作用することは殆どないか又は少ないため、生地の強度は著しく高い。
【００４２】
従って本願発明では、ネット状ベースと紐状毛皮又は毛付き紐状人造物とから成る伸縮性の生地を、強度を向上した状態で提供できる。
【００４３】
例えばスカートに適用した場合、人の身体へのフィット性には主として横糸が寄与しているので、スカートを例にとると、横糸のみを伸縮性の弾性糸で構成して縦糸は伸縮しない非弾性糸を使用して、非弾性の縦糸に紐状毛皮又は毛付き紐状人造物を巻き付けることにより、製品の保形機能を向上できる。
【００４５】
【発明の実施形態】
次に、本発明の参考例及び実施形態を図面に基づいて説明する。
【００４６】
(1).第１参考例（図１〜図３）
図１〜図３で示す第１参考例では、縦横に大きく伸縮するネット状ベース１を使用している。図１は分離斜視図、図２はネット状ベース１を伸ばした状態の平面図、図３は紐状毛皮２の巻き付け状態を示す一部破断平面図である。ネット状ベース１は、ゴムのように大きく伸縮する縦糸３の群と横糸４の群とから成っており、端部に位置した横糸４に紐状毛皮２を巻き付けている。
【００４７】
端部に位置した横糸４には太い補強糸４′が重なっている。また、紐状毛皮２は、毛２ａが外側に位置する状態で（スキン面が横糸４に重なる状態で）横糸４に巻き付けている。紐状毛皮２は、全ての横糸４に巻き付けても良いし、一つ飛びや二つ飛びの状態で巻き付けても良い。図３では、紐状毛皮２の毛２ａの部分は一部省略している。
【００４８】
衣類のフードのように衣服本体に着脱自在に取付けるものの場合は、紐状毛皮２が通っていない網目の群を少なくとも１列残しておくと、その網目の部分を引き延ばしてボタンに嵌め込むことにより、フードなどを衣服本体に簡単にしかも外れ落ちない状態に取付けることができる。
【００４９】
なお、ネット状ベース１を構成する縦糸３と横糸４との区別は便宜的なものであり、区別すること自体には大きな意味はない。１つのネット状ベース１において、ある部分では紐状毛皮２を横糸４に巻き付け、ある部分では縦糸３に紐状毛皮２を巻き付けるということも可能である。
【００５０】
(2).第１実施形態（図４）
図４では第１実施形態を示しており、（Ａ）は一部省略平面図、（Ｂ）は（Ａ）のＢ−Ｂ視図である。この例は、ネット状ベース１の周囲に伸縮性布地からなる縁布５を縫い付けている。これは、生地同士の縫い合わせや、衣服本体への縫い付け等の便宜のためである。この例では、縦糸３は弾性糸からなっていて横糸４は非弾性糸からなっており、紐状毛皮２は１列飛ばしの状態で横糸４に巻き付けている。
【００５０】
(3).第２参考例（図５）
図５では第２参考例を示している。（Ａ）は一部省略平面図、（Ｂ）は（Ａ）のＢ−Ｂ視図である。この例では、ネット状ベース１の隣合った網目に紐状毛皮２を交互に通している。
【００５１】
従って、紐状毛皮２の毛２ａはネット状ベース１の片面だけに露出している。この例の場合、紐状毛皮２を張った状態でネット状ベース１の目に通している場合は、生地は紐状毛皮２の長手方向には殆ど伸びないので、ネット状ベース１は縦糸３だけが伸縮する構造でも良い。
【００５２】
他方、両糸３，４を伸縮性のあるもので製造すると共に、紐状毛皮２を、ある程度の余裕をもった状態で（すなわち、後述の図８と同様に、紐状毛皮２の長さをネット状ベース１の長さよりも長くして）ネット状ベース1 の目に通すと、生地は縦横の両方向に伸縮させることができる。
【００５３】
(4).第３参考例（図６）
図６に示す第３参考例も紐状毛皮２をネット状ベース１の網目に通しただけのものであるが、この例では、紐状毛皮２をゴム紐のような弾性芯６に巻き付けておき、これをネット状ベース１に通している。
【００５４】
従って、ネット状ベース１の両面に紐状毛皮２の毛２ａが露出している。弾性芯６の存在により、紐状毛皮２はその長手方向に伸びることができ、かつ、ずれ動きがない利点がある。
【００５５】
(5).第４参考例（図７〜図８）
図７〜８に示すのは第４参考例であり、図７は平面図、図８は図７の VIII-VIII視断面図である。この第４参考例では、伸縮性ベースとして、弾性糸で織られた布状ベース７を使用しており、適当な間隔で平行に並べた多数本の紐状毛皮２を布状ベース７に縫い付け固定している。布状ベース７に裏地の役割を持たせることができる利点がある。
【００５６】
この場合、紐状毛皮２は、長手方向に沿って飛び飛びの状態で布状ベース７に糸１４で縫着しており、かつ、隣合った縫い付け箇所の間の部位がアーチ状になるように設定している。このため、生地は紐状毛皮２の長手方向にも多少は伸縮させることができる。
【００５７】
(6).第５参考例（図９）
図９に示す第５参考例では、上ネット状ベース１ａと下ネット状ベース１ｂとで紐状毛皮２の群をサンドイッチ状に挟み、両ネット状ベース１ａ，１ｂを糸などの適宜手段で離反不能に固定している。この場合、紐状毛皮２の側に位置した上ネット状ベース１はできるだけ細い糸で構成するのが好ましい。両ネット状ベース１とも、紐状毛皮２と交叉した方向のみに伸縮すれば足りる。
【００５８】
(7).第２実施形態（図１０〜図１３）
図１０〜図１３では、製品に適用した第２実施形態を示している。図１０（Ａ）の第１製品例は、伸縮性毛皮生地で製造されたキャップ状の帽子８である。帽子８は大きく伸び変形するため、頭のサイズが異なる人が被ってもぴったりとフィットする。
【００５９】
図１０（Ｂ）の第２製品例は、伸縮性毛皮生地によって製造されたループ状のマフラー９である。マフラー９はその長手方向に伸びるため、幾重かに巻いて首にピッタリとフィットさせることができる。ループ状又は筒状に形成される他の製品としては、例えばリストバンド、レッグウォーマー、ハンドウォーマー、腹巻などが挙げられる。
【００６０】
図１０（Ｃ）では、第３製品例として、通常の帽子１０に着脱自在に取付ける飾り１１を表示している。この場合、帽子１０が飾り１１でが締め付けられているため、飾り１１が風で簡単に外れることはない。従って、ホックなどを使用しなくても、ユーザーは、天候や好みなどに応じて、飾り１１を取付けたり外したりする選択をすることができる。
【００６１】
図１１〜図１２では第４製品例としてマフラー９を表示しており、このマフラー９は、一端寄り部位の箇所にスリット１２を設けている。そして、図１２に示すように、スリット１２にマフラー９の他端部を挿入すると、マフラー９は環状になる。図１１で４条の平行斜線を表示しているが、これは模様や色彩の違いを表示したものである。
【００６１】
図１３では、第５製品例としてスカート１３を表示している。この場合、ネット状ベース１は、横糸４のみが伸び変形する。また、紐状毛皮２は縦糸３に巻き付けている。
【００６２】
人の身体へのフィット性には主として横糸４が寄与しているので、横糸４のみを弾性糸で構成し、縦糸３は非弾性糸を使用している（これにより、製品の保形機能を向上できる）。
【０１０８】
なお、紐状毛皮に代えて人造の類似物（すなわち毛付き紐状人造物）を使用できる。類似物としては、帯状部に毛を植毛又は起毛した構造のものや、芯材の周囲に毛を植毛したものなど、様々の構造のものがある。
【０１０９】
【図面の簡単な説明】
【図１】第１参考例の分離斜視図である。
【図２】第１参考例に使用するネット状ベースの平面図である。
【図３】第１参考例の一部破断図である。
【図４】第１実施形態を示す図である。
【図５】第２参考例を示す図である。
【図６】第３参考例を示す図である。
【図７】第４参考例の一部省略平面図である。
【図８】図７の VIII-VIII視断面図である。
【図９】第６参考例を示す図である。
【図10】第２実施形態に係る第１〜第３製品例を示す図である。
【図11】第２実施形態に係る第４製品例の一部破断平面図である。
【図12】第２実施形態に係る第４製品例の使用状態を示す図である。
【図13】第２実施形態に係る第５製品例の一部破断斜視図である。
【符号の簡単な説明】
１  ネット状ベース
２  紐状毛皮
３  ネット状ベースを構成する縦糸
４  ネット状ベースを構成する横糸
８  製品の一例としての帽子
９  製品の一例としてのマフラー
１１  製品の一例として帽子用飾り
１３  製品の一例としてスカート
【図１】
0004648570.tif 000002
【図２】
0004648570.tif 000003
【図３】
0004648570.tif 000004
【図４】
0004648570.tif 000005
【図５】
0004648570.tif 000006
【図６】
0004648570.tif 000007
【図７】
0004648570.tif 000008
【図８】
0004648570.tif 000009
【図９】
0004648570.tif 000010
【図１０】
0004648570.tif 000011
【図１１】
0004648570.tif 000012
【図１２】
0004648570.tif 000013
【図１３】
0004648570.tif 000014